(57)【要約】【課題】便座の上面部に全周に亘って載置される載置部を、便座メーカによって大きさが異なる便座に対応した大きさにすることができる便座シートを提供する。【解決手段】環形をなし、便座の上面部の全周に亘って載置される載置部３と、該載置部３に連なり、前記上面部の外縁に対応して切捨てられる切捨部４と、載置部３の内縁に複数の周方向位置で連なる切取シート部５とを有し、便座メーカによって大きさが異なる便座に対応して切捨部４を切捨てることにより、便座に対応した大きさにすることができるようにした。【選択図】図１
2010035876.tif 000002
【特許請求の範囲】
【請求項１】
その一面に接着層を有し、便座の上面部に前記接着層が接触して載置される便座シートにおいて、前記上面部の全周に亘って載置される載置部及び該載置部に連なり、前記上面部の外縁に対応して切捨てられる切捨部を有することを特徴とする便座シート。
【請求項２】
前記載置部は環形をなし、該載置部の内縁に複数の周方向位置で連なる切取シート部を有する請求項１記載の便座シート。
【請求項３】
前記載置部及び切取シート部の少なくとも一方の他面に図柄を設けてある請求項１又は２記載の便座シート。
【請求項４】
前記載置部の内縁から複数のスリットを設けてある請求項１から３のいずれか一つに記載の便座シート。
【請求項５】
前記切取シート部は消臭性を有する請求項２から４のいずれか一つに記載の便座シート。
【発明の詳細な説明】
【技術分野】
【０００１】
本発明は、便座の上面部に載置される便座シートに関する。
【背景技術】
【０００２】
洋式便器には便器本体に対して揺動が可能なＯ型、Ｕ型などの便座を備えており、便座には便座カバーが装着されるか、又は、便座シートが載置される（例えば、特許文献１、特許文献２参照）。
【０００３】
便座カバーは便座の上面部から下面部にかけて被覆し、ゴム紐及びフック等により便座に装着されるように構成されているのに対し、便座シートは便座の上面部に載置されるだけであるため、便座カバーに比べて簡易に装着、取外しができ、しかもコストを低減できる。
【特許文献１】特開平１１−１７８７４８号公報
【特許文献２】実開平４−２５５９４号公報
【発明の開示】
【発明が解決しようとする課題】
【０００４】
しかしながら、洋式便器の便座には複数の型式があり、しかも、型式が同じであっても便座メーカによって便座の大きさが異なるため、便座シートを各便座に共通して用いる場合、便座に対して便座シートが小形であるときは、便座上面部の露出量が多くなり、この露出部分にお尻が接触して着座感を損なうことになる。また、便座に対して便座シートが大形であるときは、便座シートの縁部が便座の周縁よりも突出し、この突出部をお尻が撓ませることになるため、着座感を損なうことになり、また、便座部の品位が低下することになる。
【０００５】
本発明は斯かる事情に鑑みてなされたものであり、主たる目的は便座の上面部の全周に亘って載置される載置部及び該載置部に連なり、前記上面部の外縁に対応して切捨てられる切捨部を有する構成とすることにより、載置部を、便座メーカによって大きさが異なる便座に対応した大きさにすることができる便座シートを提供することにある。
【０００６】
また、他の目的は載置部の内縁に複数の周方向位置で連なる切取シート部を設けることにより、載置部を便座に載置し、切取シート部を便器蓋等に貼付ることができる便座シートを提供することにある。
【０００７】
また、他の目的は載置部及び切取シート部の少なくとも一方の他面に図柄を設けることにより、便座部の品位、及び便器蓋部の品位を高めることができる便座シートを提供することにある。
【０００８】
また、他の目的は載置部の内縁から複数のスリットを設けることにより、着座感を損なうことなく便座の内周部内空間が狭くなるのを防ぐことができる便座シートを提供することにある。
【０００９】
また、他の目的は切取シート部が消臭性を有することにより、特別の芳香製品を置くことなく便所内の臭気を消臭することができる便座シートを提供することにある。
【課題を解決するための手段】
【００１０】
第１発明に係る便座シートは、その一面に接着層を有し、便座の上面部に前記接着層が接触して載置される便座シートにおいて、前記上面部の全周に亘って載置される載置部及び該載置部に連なり、前記上面部の外縁に対応して切捨てられる切捨部を有することを特徴とする。
【００１１】
第１発明にあっては、便座シートが載置される便座の大きさに対応して切捨部を切捨てることができるため、載置部を、便座メーカによって大きさが異なる便座に対応した大きさにすることができる。因って、着座感を良好にできるとともに、便座部の品位を高めることができる。
【００１２】
第２発明に係る便座シートは、前記載置部は環形をなし、該載置部の内縁に複数の周方向位置で連なる切取シート部を有することを特徴とする。
第２発明にあっては、載置部の内縁に連なる複数の連なり部から切取シート部を切取ることができるため、切取シート部が切取られた後の載置部を便座に載置し、切取シート部を便器蓋等に貼付ることが可能であり、切取シート部を装飾板とすることができる。
【００１３】
第３発明に係る便座シートは、前記載置部及び切取シート部の少なくとも一方の他面に図柄を設けてあることを特徴とする。
第３発明にあっては、便座に載置部が載置された便座部の品位、及び／又は切取シート部が貼付けられた便器蓋部等の品位を高めることができる。
【００１４】
第４発明に係る便座シートは、前記載置部の内縁から複数のスリットを設けてあることを特徴とする。
第４発明にあっては、便座メーカによって大きさが異なる便座の上面部に載置部を載置した場合、便座の内周側となる部分が大き過ぎるときは、スリット間の部片を便座側へ押付けることにより該部片を便座に接着することができるため、着座感を損なうことなく便座の内周部内空間が便座シートによって狭くなるのを防ぐことができ、便座シートを汚れ難くできる。
【００１５】
第５発明に係る便座シートは、前記切取シート部は消臭性を有することを特徴とする。
第５発明にあっては、切取られた切取シート部を便器蓋等に貼付ることができるため、貼付面からの出っ張り量を少なくすることができ、この状態で臭気を消臭することができる。
【発明の効果】
【００１６】
第１発明によれば、便座メーカによって大きさが異なる便座に対応した大きさにすることができ、着座感を良好にできるとともに、便座部の品位を高めることができる。
【００１７】
第２発明によれば、切取シート部が切取られた後の載置部を便座に載置し、切取シート部を便器蓋等に貼付ることが可能であり、切取シート部を装飾板とすることができる。
【００１８】
第３発明によれば、便座に載置部が載置された便座部の品位、及び／又は切取シート部が貼り付けられた便器蓋部等の品位を高めることができる。
【００１９】
第４発明によれば、着座感を損なうことなく便座の内周部内空間が便座シートによって狭くなるのを防ぐことができ、便座シートを汚れ難くできる。
【００２０】
第５発明によれば、切取シート部を便器蓋等に貼付ることができるため、貼付面からの出っ張り量を少なくすることができ、この状態で臭気を消臭することができる。
【発明を実施するための最良の形態】
【００２１】
以下本発明をその実施の形態を示す図面に基づいて詳述する。図１は便座シートの構成を示す平面図、図２は便座シートの構成を示す底面図、図３は図１のIII −III 線の拡大断面図である。
【００２２】
本発明に係る便座シートは、平面視で長方形をなしており、便座の内周部に対応する位置に、便座の内周部に沿う非連続の複数本の切目１及び隣合う切目１の間で連なる三つの連なり部２とを有し、切目１から外縁側で便座の外周部に対応する位置までを、便座の上面部に載置される載置部３とし、載置部３及び外縁までを、便座の上面部の外縁に対応して切捨てられる切捨部４とし、切目１から中央側を、連なり部２で載置部３に連なる切取シート部５としてあり、また、載置部３の内縁から複数のスリット６が設けられている。
【００２３】
この便座シートは、一枚の不織布によって形成されている。不織布の加工は、ポリエステル等の第１の熱可塑性繊維に該熱可塑性繊維よりも低融点で溶融する第２の熱可塑性繊維が混入された繊維を互いにからませて集合してなる比較的薄肉のシート状のウェブを形成し、このシートウェブを重ねて比較的厚肉のラップウェブを成形し、このラップウェブを第１のニードルパンチ加工によりフェルト状とし、このフェルトウェブ７の２枚を積層し、この積層したフェルトウェブ７，７の間に、紙のように薄い不織布に適宜の図柄がプリント印刷された印刷布８を積層し、この積層部材の一面を第２のニードルパンチ加工により起毛させる。この場合、各フェルトウェブ７，７の繊維及び印刷布８の繊維が起毛となり、印刷布８の図柄が積層部材の一面に描写される。第１及び第２の熱可塑性繊維は、アンモニア臭に対する消臭作用を有する繊維が用いられている。尚、第１又は第２の熱可塑性繊維は非消臭性の繊維が用いられてもよい。
【００２４】
このように形成された不織布の裏面、換言すれば不織布を用いてなる便座シートの下面には接着層９を塗布してある。
【００２５】
この接着層９は粘着性を有するアクリル酸エステル共重合体及び熱可塑性繊維とよく相溶するメチルメタアクリレートブタジエン共重合体のエマルジョンに充填材を配合してなる合成樹脂材料が用いられる。
【００２６】
接着層９は次のような工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせ、この泡状溶液を前記送出路の出口から便座シートを構成する前記不織布の下面に塗布し、この塗布された泡状溶液をドクターブレードにより均した後、約１２０℃の乾燥室で１乃至２分の間乾燥させ、この後、乾燥室から取り出し、冷却することにより粘着性を有する状態で前記泡状溶液が硬化し、複数の微小気泡を有する接着層９が形成される。尚、不織布の下面に塗布された溶液の一部は不織布に浸透する。
【００２７】
上述の接着層９を形成するときの乾燥によって泡状の溶液のアクリル酸エステル共重合体とメチルメタアクリレートブタジエン共重合体とが化学反応して分子間に橋かけ結合が生じ、また、溶液の全ての泡部が微小気泡となる。この溶液のアクリル酸エステル共重合体とメチルメタアクリレートブタジエン共重合体との橋かけ結合によって接着層９の保形性を高めることができ、該保形性によって、不織布の保形性を高めることができ、洗濯による皺を発生し難くできる。しかも、微小気泡は接着層９の表面にも生ずるため、接着層９を便座の上面部に押付けることによりその表面に露出する複数の微小気泡の夫々が内部空気を排出し、真空吸着作用をなし、この真空吸着作用及び前記粘着性が接着層９の接着性を高めている。
【００２８】
以上のように接着層９が形成された不織布が例えば長方形に裁断され、便座メーカによって大きさが異なる便座のうちで最も大型の便座よりも大型の便座シートが形成される。この便座シートの載置部３の上面及び切取シート部５の上面には適宜模様の図柄１０が描写されている。切目１は略卵形をなし、長手方向の３箇所が連なり部２により非連続になっている。連なり部２は指の力でちぎれる程度の細幅に形成されており、この連なり部２と離隔した位置の載置部３の内縁から３０乃至５０mm程度で離隔する複数のスリット６が設けられている。切目１から中央側の切取シート部５は、略卵形をなし、三つの連なり部２をちぎることにより切取ることができるようになっている。
【００２９】
図４は切捨部４が切捨てられた状態を示す平面図、図５は切捨部４が切捨てられ、切取シート部５が切取られた状態を示す平面図である。便座シートが便座Ａの上面部に載置される際、便座Ａの外周側の大きさに対応して載置部３の外周側が便座Ａの外縁に沿って略卵形に裁断され、切捨部４が切捨てられる。因って、便座シートは便座Ａの外縁に対応した大きさとなる。また、切取シート部５が連なり部２から切取られる。
【００３０】
図６は載置部３が便座Ａの上面部に載置された状態を示す説明図、図７は切取シート部５が便座蓋Ｂに貼付られた状態を示す説明図である。便座Ａの上面部に載置された便座シートは、接着層９が便座Ａに接触し、便座Ａ側へわずかな力にて押付けることにより、接着層９の接着性、即ち、粘着性及び真空吸着作用によって便座Ａの上面部に接着することができる。この際、便座シートの内周部が便座Ａの内縁から突出するとき、夫々のスリット６の間の部片１１を便座Ａ側へわずかな力にて押付けることにより、接着層９の接着性、即ち、粘着性及び真空吸着作用によって夫々の部片１１を便座Ａの上面部に接着することができ、部片１１の曲げ状態を保つことができる。このように便座シートの内縁部を曲げて便座Ａの内周部に接着するため、便座Ａの内周部内空間が便座シートによって狭くなるのを防ぐことができ、便座シートを汚れ難くできる。
【００３１】
切取られた切取シート部５は、例えば便器蓋Ｂの上面部に接着層９により貼付けられる。
【００３２】
汚損した載置部３又は切取シート部５は、載置部３又は切取シート部５の端部を掴んで持ち上げることにより容易に便座Ａ上面部又は便器蓋Ｂから剥がすことができ、この汚損した載置部３又は切取シート部５を洗濯機等により洗濯することができる。
【００３３】
尚、以上説明した実施の形態では、載置部３の外側に切捨部４を有し、載置部３の内側に切取シート部５を有する構成としたが、その他、便座シートは切取シート部５がなく、載置部３の外側に切捨部４を有する構成としてもよい。
【００３４】
また、以上説明した実施の形態では、長方形をなす便座シートとしたが、その他、便座シートは例えば略卵形をなす形状であってもよく、便座シートの形状は特に制限されない。
【００３５】
また、以上説明した実施の形態では、載置部３の内縁にスリット６を有する構成としたが、その他スリット６は必ずしも必要でない。
【図面の簡単な説明】
【００３６】
【図１】本発明に係る便座シートの構成を示す平面図である。
【図２】本発明に係る便座シートの構成を示す底面図である。
【図３】図１のIII −III 線の拡大断面図である。
【図４】本発明に係る便座シートの切捨部が切捨てられた状態を示す平面図である。
【図５】本発明に係る便座シートの切捨部が切捨てられ、切取シート部が切取られた状態を示す平面図である。
【図６】本発明に係る便座シートの載置部が便座の上面部に載置された状態を示す説明図である。
【図７】本発明に係る便座シートの切取シート部が便座蓋に貼付られた状態を示す説明図である。
【符号の説明】
【００３７】
１    切目
２    連なり部
３    載置部
４    切捨部
５    切取シート部
６    スリット
９    接着層
１０  図柄
【図１】
2010035876.tif 000003
【図２】
2010035876.tif 000004
【図３】
2010035876.tif 000005
【図４】
2010035876.tif 000006
【図５】
2010035876.tif 000007
【図６】
2010035876.tif 000008
【図７】
2010035876.tif 000009